(57)【要約】【課題】組み立てた後も被覆材の交換が容易にでき用途が広いボタン型部材を提供する。【解決手段】（Ａ）裏側が窪んでいるボタン本体２と、（Ｂ）ボタン本体２の裏側中央に突出して一体となって又は固着して設けられた軸４と、（Ｃ）外周縁がボタン本体２の裏側壁面に接し、中央に軸４より大きい径の軸貫通用穴３２を有し、軸貫通用穴３２周囲から一体となって円周方向へ放射状に切欠き３１を設けた裏蓋３と、を有する構成とする。【選択図】図１
2015204899.tif 000002
【特許請求の範囲】
【請求項１】
（Ａ）裏側が窪んでいるボタン本体と、
（Ｂ）前記ボタン本体の裏側中央に突出した軸と、
（Ｃ）外周縁が前記ボタン本体の裏側壁面に接し、中央に前記軸より大きい径の軸貫通用穴を有し、前記軸貫通用穴周囲から一体となって外周方向へ放射状に切欠きを設けた裏蓋と、
を有することを特徴とするボタン型部材。
【請求項２】
前記切欠きが、先端を円弧状若しくはスクエア状に形成してあることを特徴とする請求項１記載のボタン型部材。
【請求項３】
前記切欠きが、側面を鋸歯状に形成してあることを特徴とする請求項１又は請求項２記載のボタン型部材。
【請求項４】
前記切欠きが、５〜１０方向に延びる放射状であることを特徴とする請求項１から請求項３のいずれかに記載のボタン型部材。
【請求項５】
前記請求項１〜４のいずれかに記載のボタン型部材に取り付けるアダプターであって、アダプター本体の一端に、前記軸の先端に着脱自在に嵌合する軸装着用凹部を有し、前記軸装着用凹部が前記軸の先端から前記裏蓋までの長さより短い窪みであることを特徴とするアダプター。
【請求項６】
前記アダプター本体に、径方向に貫通する穴を穿設してあることを特徴とする請求項５記載のアダプター。
【請求項７】
前記軸装着用凹部が内周壁にネジ溝を有し、及び／又は、テーパー状に開口部が内部より狭くなっていることを特徴とする請求項５又は請求項６に記載のアダプター。
【請求項８】
前記アダプター本体が、前記軸の直径と異なる直径であることを特徴とする請求項５から請求項７のいずれかに記載のアダプター。
【発明の詳細な説明】
【技術分野】
【０００１】
本発明は、表層側を布・革等の被覆材でくるんで使用するボタン型部材及びボタン型部材のアダプターに関する。
【背景技術】
【０００２】
従来から、ボタン型部材の表層側を布等で覆い、裏側に折り返した布を背面側で押さえ、表面側が布でくるまれた状態にした、くるみボタンは、衣服用に使用されている。ボタン型部材を布でくるんだ状態で固定する作業を容易にするために、ボタン型部材を、表層側の部材の裏面に背面側の部材を嵌め込む雄雌部材によって形成して、表層側の部材をくるんだ布の上から背面側の部材を嵌合して、表層側の部材と背面側の部材の間に挟んだ布を押さえ込んで嵌合するボタン型部材が知られている（例えば、特許文献１、２参照）。背面側の部材は、専用の治具を使って固定するものの他、くるんで裏側に回った布をいったん縫製して形を整えてから背面側の部材で固定するものもある。
【先行技術文献】
【特許文献】
【０００３】
【特許文献１】実登３００１８６５号公報
【特許文献２】実登３１１２１８７号公報
【発明の概要】
【発明が解決しようとする課題】
【０００４】
しかし、上述した特許文献１や特許文献２に記載の従来のボタン型部材では、組み立てた後に布を取り外すことを前提としていないために嵌め殺しとなってしまい、組み立てた後に布を交換したい場合に、容易に交換できないという問題があった。すなわち、従来のボタン型部材では、いろいろなデザインを楽しむために布を交換したいというニーズには対応できない。
【０００５】
本発明は、上述したような課題を解決するためになされたものであり、第１の目的は、組み立てた後も被覆材の交換が容易にできるボタン型部材を得ることである。
【課題を解決するための手段】
【０００６】
本発明の第１の態様は、（Ａ）裏側が窪んでいるボタン本体と、
（Ｂ）前記ボタン本体の裏側中央に突出した軸と、
（Ｃ）外周縁が前記ボタン本体の裏側壁面に接し、中央に前記軸より大きい径の軸貫通用穴を有し、前記軸貫通用穴周囲から一体となって外周方向へ放射状に切欠きを設けた裏蓋と、
を有することを特徴とするボタン型部材を提供する。
【０００７】
本態様によれば、表面側をくるんだ被覆材の端部を裏面側に回した後、切欠きと、切欠きとつながった軸貫通用穴の中で軸の周りに、先端が尖った身近な物（シャープペンシルの先やピンセット、つまようじなど）を用いて、被覆材の端部を詰め込んで収納することができる。被覆材の交換をする際には、裏面側に収納した被覆材の端を手で引っ張り出して他の被覆材に交換することが容易となる。したがって、本発明の第１の態様のボタン型部材によれば、組み立てた後も被覆材の交換が容易にできる。
【０００８】
上述した本発明の第１の態様のボタン型部材は、前記切欠きが、先端を円弧状若しくはスクエア状に形成してあることが好ましい。先端が尖っていないため、挟み込む布量が多くなる先端部分での切欠き空間量が増すので、上述した本発明の第１の態様のボタン型部材の効果に加え、厚みのある被覆材でも挟み込みしやすくなり、使用可能な被覆材の幅が広がる。
【０００９】
上述した本発明の第１の態様のボタン型部材は、また、前記切欠きが、側面を鋸歯状に形成してある構成としてもよい。滑り出ようとする布が鋸歯部分でも引っかかるため、上述した本発明の第１の態様のボタン型部材の効果に加え、被覆材が薄手でも切欠きに入れた被覆材が滑り出てしまうことを防止できる効果を奏する。
【００１０】
上述した本発明の第１の態様のボタン型部材は、また、前記切欠きが、５〜１０方向に延びる放射状であることが好ましい。上述した本発明の第１の態様のボタン型部材の効果に加え、表面側の被覆材のたるみなどが防止できて美観に優れるとともに強度が高いという効果を奏する。
【００１１】
本発明の第２の態様は、アダプター本体の一端に、前記軸の先端に着脱自在に嵌合する軸装着用凹部を有し、前記軸装着用凹部が前記軸の先端から前記裏蓋までの長さより短い窪みであることを特徴とするアダプターを提供する。ボタン型部材を衣服や網状シート等に装着した後に、ボタン型部材が抜け落ちることを防止できる。したがって、被覆材を容易に着脱できる本発明の第１の態様のボタン型部材の用途をさらに広げることができる。
【００１２】
上述した本発明の第２の態様のアダプターは、また、前記アダプター本体に、径方向に貫通する穴を穿設してある構成としてもよい。穴に糸等を通して、ボタン型部材を衣服等に取り付けることができ、また、ストラップ等にすることもできる。したがって、本発明の第１の態様のボタン型部材の用途をさらに広げることができる。
【００１３】
上述した本発明の第２の態様のアダプターは、また、前記軸装着用凹部が内周壁にネジ溝を有し、及び／又は、テーパー状に開口部が内部より狭くなっていることが好ましい。アダプターがボタン型部材から抜け落ちることを防止できる。
【００１４】
上述した本発明の第２の態様のアダプターは、また、前記アダプター本体が、前記軸の直径と異なる直径である構成としてもよい。軸の太さによらずアダプターを変えるだけで様々な径に対応させることができる。したがって、本発明の第１の態様のボタン型部材の用途をさらに広げることができる。
【発明の効果】
【００１５】
本発明のボタン型部材によれば、組み立てた後も被覆材の交換が容易にできる。
【図面の簡単な説明】
【００１６】
【図１】本発明の実施例１のボタン型部材の斜視図である。
【図２】本発明の実施例１のボタン型部材の表面図である。
【図３】本発明の実施例１のボタン型部材の裏面図である。
【図４】本発明の実施例１のボタン型部材のＡ-Ａ´断面図である。
【図５】本発明の実施例１のボタン型部材に被覆材を取り付けた状態の断面図である。
【図６】本発明の実施例１のボタン型部材の使用例説明図である。
【図７】本発明の実施例２のボタン型部材の裏面図である。
【図８】本発明の実施例３のボタン型部材の裏面図である。
【図９】本発明の実施例１のボタン型部材に、実施例１のアダプターを取り付けた状態の断面図である。
【発明を実施するための形態】
【００１７】
以下、本発明について、添付図面を適宜参照して実施例を用いて好適な実施の形態を具体的に説明するが、本発明はこれらに限定されるものではない。
【００１８】
｛ボタン型部材：実施例１｝
本発明の実施例１のボタン型部材の構造について図を用いて説明する。図１は、本発明の実施例１のボタン型部材の斜視図である。本発明の実施例１のボタン型部材１は、表面側が膨らみをもって湾曲し裏側が窪んでいるボタン本体２と、ボタン本体２と一体となっていてボタン本体２の裏側中央に突出した軸４と、切欠き３１を設けた裏蓋３とを有する。ボタン型部材１は全体が軟質樹脂製である。本実施例では、軸４は直径４ｍｍの円柱、ボタン本体２は直径２０ｍｍのお椀型である。ボタン本体は、本実施例においては、裏面側を下にした状態で表面側が外縁から表面中央に向かって上方になだらかに隆起し中央を頂点とする伏せたお椀のような形状であるが、表面中央が平らな伏せた皿状でもよく、クレーターのように外縁から隆起しながら表面中央付近が窪んでいる形状でもよい。
【００１９】
図２は、本発明の実施例１のボタン型部材の表面図である。ボタン本体２は、表面側から見た形状が円形すなわちボタン型で、使用時には表面側は被覆材で覆われることになる。図３は、本発明の実施例１のボタン型部材の裏面図である。裏蓋３は、ボタン本体２の裏側壁面に外周縁が接した円盤状で、中央に軸４より大きい径の軸貫通用穴３２を有し、軸貫通用穴３２周囲から一体となって外周方向へ放射状に切欠き３１を設けてある。軸貫通用穴３２の方が軸４より径が大きいので、軸４周囲と裏蓋３の切欠き３１の軸４側端部との間に隙間ができる。放射状の切欠き３１によって、裏蓋３は、中心に向かって尖鋭（せんえい）な先端部分である尖鋭部３３を多数有することとなる。軸貫通用穴３２、すなわち軸４外周から尖鋭部３３までは、被覆材を挟める程度の隙間であって、本実施例では、軸４外周から尖鋭部３３までの長さが０．７ｍｍである。
【００２０】
図４は、本発明の実施例１のボタン型部材のＡ-Ａ´断面図である。本実施例では、ボタン本体２は表面側が凸型に膨らみ裏面側が凹型に窪んだ、薄肉で浅いすり鉢状の形状となっている。本実施例では、軸４はボタン本体２と一体成型であるが、別々の部品として製造して溶着等で固定させてもよい。
【００２１】
図５は、本発明の実施例１のボタン型部材に被覆材を取り付けた状態の断面図である。被覆材６でボタン本体２の表面側を覆って、裏側に回した被覆材６の端は、ボタン本体２の裏側は裏蓋３から軸４の根元までの空隙すなわち軸貫通用穴３２と、軸貫通用穴３２に続いて設けられた放射状の切欠き３１に挟み込む。本実施例では尖鋭部３３は１０か所となり、被覆材６が尖鋭部３３に引っ掛かるので滑り出ることを防止できる。したがって、被覆材６は、表面側にしわができないように軸貫通用穴３２と切欠き３１に挟み込んで保持することができる。ボタン本体２と裏蓋３とで区切られた内部は中空で、切欠き３１で挟み込んだ被覆材６の端を収納できる。裏蓋３は、被覆材６をボタン本体２の表面をくるんだ状態で保持するキャッチャーの役割を果たす。ボタン本体２の裏側周縁には内周側にふくらんだ裏蓋保持用突起部２３があり、裏蓋３をボタン本体２に押し込んで嵌め込むと、ボタン本体２の弾性によりボタン本体２の裏蓋保持用突起部２３が広がって嵌り、嵌った後は、裏蓋３は、裏蓋保持用突起部２３がストッパーになり自然には外れない。
【００２２】
本実施例では、切欠き３１は、先端部３１１を円弧状に形成してある。切欠き３１の先端が丸くカーブしていることにより、先端部分での切欠き空間量は、先端が尖っている場合より増すので、伸縮性があまりない被覆材や厚みのある被覆材でも挟み込みしやすくなり、使用可能な被覆材の幅が広がる。薄い被覆材を使用する場合であれば先端が尖っている切欠きであってもよい。
【００２３】
切欠き３１は、本実施例では、中心から外周方向に向けて１０方向に延びる放射状に形成されている。切欠き３１の放射状に延びる数は多いほど、尖鋭部３３の数が増え、ボタン型部材１を被覆材でくるんで裏蓋３の切欠き３１に被覆材の端部を挟み込んだ状態で表面側の被覆材のたるみなどが防止できて美観に優れるが、放射状に延びる数が多すぎると尖鋭部３３が細くなりすぎて強度が弱くなるおそれがあるので、切欠き３１の放射状に延びる数は、美観と強度の面から好ましくは５〜１０方向であるが、これに限定されない。
【００２４】
(使用方法)
次に、本発明の実施例１のボタン型部材の使用方法について説明する。図６は、本発明の実施例１のボタン型部材の使用例説明図である。パンチ穴を無数に設けたパネル７に、被覆材６でくるんだボタン型部材１をはめ込んで模様を形成してある。直径が２０ｍｍ、３０ｍｍ等、様々な大きさの径のボタン型部材１とすることができ、任意の色柄の被覆材６でくるんだボタン型部材１の軸４をパネル７の中で任意の位置のパンチ穴に通すだけで新しいアートを作り出すことができる。ボタン型部材１の配置やパネル７の形を種々変えることで、平面的或いは立体的な工作物を作ることもできる。
【００２５】
(効果)
本発明の実施例１のボタン型部材１によれば、上述した構成であるので、組み立てた後も被覆材の交換が容易にできる。これを利用して任意の色柄の被覆材を被せたボタンを組み合わせて様々な模様の工作物を容易に作ることができ、また容易に別の模様の工作物に変えることができる。被覆材の交換が容易であるので、利便性に優れる。本実施例によれば、嵌め殺しではないので被覆材の交換時にボタン型部材を壊す必要がなく、被覆材を被せた後に保持するのに被覆材の縁を縫い縮める等の手間がなく、また、被覆材の交換を行う際に裏蓋を外して被覆材を本体との間に挟んで裏蓋をするという作業が不要であるので、交換が容易である。厚みのある被覆材でも挟み込みしやすく、使用可能な被覆材の幅が広い。また、表面側の被覆材のたるみなどが防止できて美観に優れるとともに強度が高い。本実施例は、被覆材を容易に交換できる構造のボタン型部材であるため、アートの模様替えややり直しがしやすい。
【００２６】
｛ボタン型部材：実施例２｝
図７は、本発明の実施例２のボタン型部材の裏面図である。本発明の実施例２のボタン型部材１では、切欠き３１の側面部３１２を鋸歯状に形成してあり、先端部３１１がスクエア状すなわち先細りの台形状に形成してある。また、切欠き３１は十字型すなわち４方向の放射状に設けられている。その他の点は上述した本発明の実施例１と同様である。したがって、組み立てた後も被覆材の交換が容易にできる効果を奏する。
【００２７】
実施例２のボタン型部材１では、実施例１のボタン型部材１に比べて切欠き数が少ないため強度は強い一方で表面側のたるみが出やすいが、側面部３１２がギザギザとなっていることで滑り出やすい生地の被覆材でも抜け出るのを防止でき、また先端部３１１がスクエア状となっていることで厚みのある被覆材でも先端まで十分に入れ込めるので、表面側にしわが寄ったりたるんだりすることを防止できる。
【００２８】
｛ボタン型部材：実施例３｝
図８は、本発明の実施例３のボタン型部材の裏面図である。本発明の実施例３のボタン型部材１では、切欠き３１の側面部３１２を鋸歯状に形成してあり、先端部３１１がスクエア状に形成してある。切欠き３１は６方向の放射状に設けられている。その他の点は上述した本発明の実施例１と同様である。したがって、組み立てた後も被覆材の交換が容易にできる効果を奏する。
【００２９】
実施例３のボタン型部材１では切欠き数が実施例２のボタン型部材１より多いため、厚みがある被覆材でくるむ場合に、より美観に優れ、側面部３１２がギザギザとなっていることで、滑り出やすい生地を被覆材とする場合に、実施例１のボタン型部材１より適する。強度は実施例１のボタン型部材１と実施例２のボタン型部材１の間くらいである。
【００３０】
｛アダプター：実施例１｝
図９は、本発明の実施例１のボタン型部材に、実施例１のアダプターを取り付けた状態の断面図である。本実施例のアダプター５は、ボタン型部材１に取り付けるアダプターである。本実施例のアダプター５は、円柱状のアダプター本体５２を有し、アダプター本体５２は、その一端に、軸４の先端に着脱自在に嵌合する凹状の軸装着用凹部５１を有する。軸装着用凹部５１は、軸４の先端から裏蓋３までの長さより短い窪みである。本実施例では、アダプター本体５２の直径は、軸４の直径と異なる直径であり、詳細には、アダプター本体５２の直径は軸４の直径より大きい。したがって、被覆材６でくるんだボタン型部材１をパネルのパンチ穴等に通してから、裏側から、パンチ穴より直径が大きいアダプター５をボタン型部材１の軸４に取り付けることで、アダプター５がボタン型部材１から抜け落ちることを防止でき、よって、ボタン型部材１がパネルから抜け落ちることを防止できる。本実施例ではアダプター本体５２の直径は軸４の直径より大きいが、軸４より小さい穴にボタン型部材１を取り付けたい場合には、穴の径に合わせて、アダプター本体５２の直径が軸４の直径より小さいアダプター５が好ましい。様々な径のアダプター５を取り揃えることで、取り付けられる基材の選択肢が広がる。
【００３１】
本実施例では、軸装着用凹部５１は、柔軟性がある樹脂素材で、テーパー状に開口部が内部より狭くなっており、ボタン型部材１の軸４の先端に嵌めこんだ後の抜け落ちを防止することができる。取り外し時にはアダプター５を軸４から引き抜くだけで容易に行うことができる。
【００３２】
(効果)
本発明の実施例１のアダプター５によれば、抜け落ちが防止できるので、パネルの他、衣服の穴や網状シートの穴にも取り付けることもできる。したがって、様々な実用品の他、アート作品を製作することも可能になり、被覆材を容易に着脱できる本発明のボタン型部材の用途をさらに広げることができる。
【００３３】
｛アダプター：実施例２｝
本発明の実施例２のアダプター５は、アダプター本体５２に、径方向に貫通する穴を穿設してある。また、実施例２のアダプター５は、軸装着用凹部５１の内周壁にネジ溝を有している。その他の点は上述した実施例１のアダプター５と同様である。
【００３４】
(効果)
本発明の実施例２のアダプターによれば、穴に糸等を通して、被覆材でくるんだボタン型部材を衣服等に取り付けることができ、また、ストラップやネックレスやブレスレット等にすることもできる。また、アダプターがボタン型部材から抜け落ちることを防止できる。ボタンを取り付ける対象物（洋服や雑貨など）に合わせてボタン型部材をくるむ被覆材を後からでも替えることができるので、簡単にファッション性の更新ができ、ボタンを取り付ける対象物をより長く使っていくことに役立ち、エコにもつながる。
【００３５】
なお、本発明は、上記実施の形態に限定されず、その発明の趣旨を逸脱しない範囲で種々と変形実施が可能である。また、上記各実施の形態の構成要素を発明の趣旨を逸脱しない範囲で任意に組み合わせることができる。例えば、上述した実施例１のボタン型部材では、ボタン本体と軸が一体で裏蓋は別パーツであるが、３Ｄプリンタ等で一体として成型してもよいし、ボタン本体と軸とを別パーツで作製して溶着等で固着させてもよい。また、上述した実施例１のボタン型部材では表面側に膨らんだ円形であるが、平面に近い円形、ハート形やスクエア型等、他の形状でもよい。さらに、上述した実施例１のボタン型部材では、軸は円柱状であるが多角柱状等でもよく、また、軸の先端に、糸や紐などを通すループ、あるいは、他の部品と接続するための穴や突起等を、軸の一部として設けてもよい。
【符号の説明】
【００３６】
１        ボタン型部材
２        ボタン本体
２１      表面膨らみ部
２２      裏面窪み部
２３      裏蓋保持用突起部
３        裏蓋
３１      切欠き
３１１    先端部
３１２    側面部
３２      軸貫通用穴
３３      尖鋭部
４        軸
５        アダプター
５１      軸装着用凹部
５２      アダプター本体
６        被覆材
７        パネル
【図１】
2015204899.tif 000003
【図２】
2015204899.tif 000004
【図３】
2015204899.tif 000005
【図４】
2015204899.tif 000006
【図５】
2015204899.tif 000007
【図６】
2015204899.tif 000008
【図７】
2015204899.tif 000009
【図８】
2015204899.tif 000010
【図９】
2015204899.tif 000011